(57)【要約】【課題】２つの筐体に亘って配線されたフラットケーブルの一端が損傷した場合でも、前記フラットケーブルの復旧が容易であること。【解決手段】フラットケーブル５は、複数の導体５０と、シート状の第１絶縁被覆５１と、シート状の第２絶縁被覆５２と、を備える。前記第２絶縁被覆５２は、基部５２ｘと、切除可能部５２ｙとを有する。前記切除可能部５２ｙは、前記複数の導体の露出候補部５０ｃを覆い、基部５２ｘと区切られ、かつ、前記第１絶縁被覆５１から剥がすことが可能である。前記複数の導体５０の長手方向における前記露出候補部５０ｃの長さは、前記長手方向における前記第１露出部５０ａの長さと同等である。【選択図】図２
2019033376.tif 000002
【特許請求の範囲】
【請求項１】
第１筐体を有する画像形成装置と、
前記第１筐体に連結された第２筐体を有する画像読取装置と、
両端がそれぞれ前記画像形成装置に設けられた第１コネクタと前記画像読取装置に設けられた第２コネクタとに接続されたフラットケーブルと、を備え、
前記画像形成装置は、前記第１コネクタを有するとともに前記第１筐体内に固定された制御基板を備え、
前記画像読取装置は、前記第２コネクタを有するとともに前記第２筐体内において予め定められた走査方向に沿って移動可能な読取ユニットを備え、
前記フラットケーブルは、
それぞれ前記制御基板の前記第１コネクタに接続された第１端から前記読取ユニットの前記第２コネクタに接続された第２端まで延びて形成され、並列に並ぶ複数の導体と、
前記複数の導体における長手方向の全領域の第１面を覆い、前記複数の導体の前記第１面が接着されたシート状の第１絶縁被覆と、
前記複数の導体における前記第１端からの一部の第１露出部および前記第２端からの一部の第２露出部を除く領域の第２面を覆い、前記複数の導体を前記第１絶縁被覆との間に挟み込む状態で、前記第１絶縁被覆に貼り合わされているシート状の第２絶縁被覆と、を備え、
前記第２絶縁被覆は、
前記複数の導体における前記第１露出部に隣接する露出候補部よりも前記第２端側の部分を覆う基部と、
前記複数の導体の前記露出候補部を覆い、前記基部と区切られ、かつ、前記第１絶縁被覆から剥がすことが可能な切除可能部と、を有し、
前記長手方向における前記露出候補部の長さは、前記長手方向における前記第１露出部の長さと同等である、画像処理装置。
【請求項２】
前記切除可能部は、前記基部に対して切れ目またはミシン目によって区切られている、請求項１に記載の画像処理装置。
【請求項３】
前記基部と前記切除可能部とは別部材であり、
前記基部の一端は、前記複数の導体における前記露出候補部と前記露出候補部よりも前記第２端側の部分との境界に沿って形成され、
前記切除可能部は、前記露出候補部の前記第２面に接する直接被覆部と前記基部の外面の一部に貼り合わされた重複部とを有する、請求項１に記載の画像処理装置。
【請求項４】
複数の前記切除可能部が、前記第２絶縁被覆における前記第１端寄りの端から並んで形成されている、請求項１から請求項３のいずれか１項に記載の画像処理装置。
【請求項５】
第１端から第２端まで延びて形成され、並列に並ぶ複数の導体と、
前記複数の導体における長手方向の全領域の第１面を覆い、前記複数の導体の前記第１面が接着されたシート状の第１絶縁被覆と、
前記複数の導体における前記第１端からの一部の第１露出部および前記第２端からの一部の第２露出部を除く領域の第２面を覆い、前記複数の導体を前記第１絶縁被覆との間に挟み込む状態で、前記第１絶縁被覆に貼り合わされているシート状の第２絶縁被覆と、を備え、
前記第２絶縁被覆は、
前記複数の導体における前記第１露出部に隣接する露出候補部よりも前記第２端側の部分を覆う基部と、
前記複数の導体の前記露出候補部を覆い、前記基部と区切られ、かつ、前記第１絶縁被覆から剥がすことが可能な切除可能部と、を有し、
前記長手方向における前記露出候補部の長さは、前記長手方向における前記第１露出部の長さと同等である、フラットケーブル。
【発明の詳細な説明】
【技術分野】
【０００１】
本発明は、フラットケーブルを備える画像処理装置およびフラットケーブルに関する。
【背景技術】
【０００２】
一般に、複写機または複合機などの画像処理装置は、画像読取装置および画像形成装置を備える。前記画像読取装置において、前記画像形成装置の第１筐体が下側に、前記画像読取装置の第２筐体が上側に配置される。
【０００３】
また、前記画像読取装置は、前記第２筐体内において副走査方向に沿って移動可能な読取ユニットを備える。
【０００４】
前記読取ユニットに含まれる光源またはイメージセンサーなどの機器は、ＦＦＣ（Flexible Flat Cable）によって、前記第１筐体内に固定された制御基板と電気的に接続されている。即ち、前記ＦＦＣの第１端および第２端は、それぞれ前記制御基板および前記読取ユニットに接続される（例えば、特許文献１参照）。
【先行技術文献】
【特許文献】
【０００５】
【特許文献１】特開２０１６−２２０１２２号公報
【発明の概要】
【発明が解決しようとする課題】
【０００６】
ところで、通常、前記制御基板は、前記読取ユニットよりもメンテナンスの対象となる頻度が高い。そのため、前記ＦＦＣの前記第１端が前記第１コネクタに対して脱着される頻度は比較的高い。
【０００７】
一方、前記ＦＦＣの端部の機械的強度はあまり高くない。そのため、コネクタに対する前記ＦＦＣの脱着の回数が例えば１０回程度に達すると、損傷した前記ＦＦＣを新たな前記ＦＦＣへ交換することが必要となる。
【０００８】
しかしながら、前記ＦＦＣが、前記画像形成装置の前記第１筐体と前記画像読取装置の前記第２筐体とに亘って配線されている場合、前記ＦＦＣの交換は煩わしい作業である。
【０００９】
本発明の目的は、２つの筐体に亘って配線されたフラットケーブルの一端が、コネクタに対する脱着により損傷した場合でも、前記フラットケーブルの復旧が容易な画像処理装置およびフラットケーブルを提供することにある。
【課題を解決するための手段】
【００１０】
本発明の一の局面に係る画像処理装置は、画像形成装置と、画像読取装置と、フラットケーブルと、を備える。前記画像形成装置は、第１筐体を有する。前記画像読取装置は、前記第１筐体に連結された第２筐体を有する。前記フラットケーブルは、両端がそれぞれ前記画像形成装置に設けられた第１コネクタと前記画像読取装置に設けられた第２コネクタとに接続されている。前記画像形成装置は、前記第１コネクタを有するとともに前記第１筐体内に固定された制御基板を備える。前記画像読取装置は、前記第２コネクタを有するとともに前記第２筐体内において予め定められた走査方向に沿って移動可能な読取ユニットを備える。前記フラットケーブルは、複数の導体と、シート状の第１絶縁被覆と、シート状の第２絶縁被覆と、を備える。前記複数の導体は、それぞれ前記制御基板の前記第１コネクタに接続された第１端から前記読取ユニットの前記第２コネクタに接続された第２端まで延びて形成され、並列に並ぶ。前記第１絶縁被覆は、前記複数の導体における長手方向の全領域の第１面を覆い、前記複数の導体の前記第１面が接着されている。前記第２絶縁被覆は、前記複数の導体における前記第１端からの一部の第１露出部および前記第２端からの一部の第２露出部を除く領域の第２面を覆い、前記複数の導体を前記第１絶縁被覆との間に挟み込む状態で、前記第１絶縁被覆に貼り合わされている。前記第２絶縁被覆は、基部と、切除可能部と、を有する。前記基部は、前記複数の導体における前記第１露出部に隣接する露出候補部よりも前記第２端側の部分を覆う。前記切除可能部は、前記複数の導体の前記露出候補部を覆い、前記基部と区切られ、かつ、前記第１絶縁被覆から剥がすことが可能である。前記長手方向における前記露出候補部の長さは、前記長手方向における前記第１露出部の長さと同等である。
【００１１】
本発明の他の局面に係るフラットケーブルは、前記画像処理装置が備える前記フラットケーブルである。
【発明の効果】
【００１２】
本発明によれば、２つの筐体に亘って配線されたフラットケーブルの一端が、コネクタに対する脱着により損傷した場合でも、前記フラットケーブルの復旧が容易な画像処理装置およびフラットケーブルを提供することが可能になる。
【図面の簡単な説明】
【００１３】
【図１】図１は、実施形態に係る画像処理装置の構成図である。
【図２】図２は、実施形態に係る画像処理装置が備えるＦＦＣの平面図である。
【図３】図３は、実施形態に係る画像処理装置が備えるＦＦＣの端部の断面図である。
【図４】図４は、切除加工が施された後のＦＦＣの端部の断面図である。
【図５】図５は、応用例に係るＦＦＣの端部の断面図である。
【発明を実施するための形態】
【００１４】
以下、添付図面を参照しながら、本発明の実施形態について説明する。なお、以下の実施形態は、本発明を具体化した一例であって、本発明の技術的範囲を限定する性格を有さない。
【００１５】
実施形態に係る画像処理装置１０は、原稿９０から画像を読み取る読取処理およびシート９に画像を形成する印刷処理を実行可能な複写機、ファクシミリ装置または複合機などである。
【００１６】
［画像処理装置１０の構成］
図１に示されるように、画像処理装置１０は、画像読取装置１および画像形成装置２などを備える。
【００１７】
画像読取装置１は、原稿９０の画像を読み取り、読取画像データを出力する読取処理を実行する。画像読取装置１は、読取ユニット１１、走査機構１２、原稿台１３、カバー１４およびＡＤＦ（Automatic Document Feeder）１５などを備える。
【００１８】
読取ユニット１１は、光源１１ａ、イメージセンサー１１ｂおよびＡＦＥ（Analog Front End）１１ｃなどを含む。
【００１９】
読取ユニット１１は、予め定められた副走査方向に沿って移動可能に支持されている。光源１１ａは、原稿９０に対して光を出射する。走査機構１２は、読取ユニット１１を前記副走査方向に沿って往復移動させる。これにより、読取ユニット１１は透明の原稿台１３に沿って往復移動し、光源１１ａの光が原稿台１３上の原稿９０に走査される。
【００２０】
イメージセンサー１１ｂは、原稿９０からの反射光を受光し、受光量の検出信号を画像信号として出力する。ＡＦＥ（１１ｃ）は、前記画像信号をデジタルの画像データへ変換する。
【００２１】
本実施形態において、画像読取装置１および画像形成装置２は、前記読取処理および前記読取処理により得られる画像データに基づく前記印刷処理を含むコピー処理を実行可能である。
【００２２】
図１に示される画像形成装置２は、シート収容部２０、搬送機構３、印刷処理装置４０および制御基板８などを備える。本実施形態において、印刷処理装置４０は、電子写真方式で前記印刷処理を実行する。図１に示される印刷処理装置４０は、カラー印刷処理を実行可能なタンデム方式の装置である。
【００２３】
印刷処理装置４０は、複数の作像装置４、レーザースキャニングユニット４６、転写装置４４および定着装置４７を備える。
【００２４】
搬送機構３は、シート収容部２０からシート９をシート搬送路３０へ送り出し、さらに、シート９をシート搬送路３０に沿って搬送する。
【００２５】
複数の作像装置４は、それぞれドラム状の感光体４１を備え、感光体４１の表面にそれぞれ異なる色のトナー像を形成する。作像装置４各々は、感光体４１に加え、帯電装置４２、現像装置４３、ドラムクリーニング装置４５などを備える。
【００２６】
帯電装置４２は、感光体４１の表面を帯電させる。レーザースキャニングユニット４６は、帯電した感光体４１の表面に静電潜像を書き込む。現像装置４３は、感光体４１上の前記静電潜像を前記トナー像へ現像する。
【００２７】
転写装置４４は、感光体４１の表面の前記トナー像を、シート搬送路３０に沿って搬送されるシート９に転写する。転写装置４４において、４つの一次転写装置４４ａが、４つの感光体４１の表面の前記トナー像を、回転する中間転写ベルト４４ｂの表面に転写する。さらに、二次転写装置４４ｃが、中間転写ベルト４４ｂ上の前記トナー像をシート９に転写する。
【００２８】
ドラムクリーニング装置４５は、感光体４１に残存するトナーを除去する。また、転写装置４４において、ベルトクリーニング装置４４ｄが、中間転写ベルト４４ｂに残存するトナーを除去する。
【００２９】
定着装置４７は、シート９に転写された前記トナー像を加熱することにより、前記トナー像をシート９に定着させる。
【００３０】
なお、印刷処理装置４０が、インクジェット方式などの他の方式で前記印刷処理を実行する装置であってもよい。
【００３１】
制御基板８は、ＣＰＵ（Central Processing Unit）８ａ、データ処理回路８ｂおよび給電回路８ｃなどが実装された基板である。
【００３２】
ＣＰＵ８ａは、各種のプログラムを実行することにより、各種の演算、データ処理および電気機器の制御を実行する。ＣＰＵ８ａは、画像形成装置２が備える機器を制御するとともに、画像読取装置１が備える機器も制御する。
【００３３】
ＣＰＵ８ａは、各種のプログラムを実行することにより、各種の演算および制御を実行する。データ処理回路８ｂは、画像読取装置１によって得られる画像データに対する各種のデータ処理を実行する。
【００３４】
給電回路８ｃは、制御基板８内の電子機器および読取ユニット１１に含まれる電子機器に対して電力を供給する。
【００３５】
画像形成装置２は、搬送機構３、印刷処理装置４０および制御基板８などを内包する第１筐体１０１を有する。制御基板８は、第１コネクタ８ｄを有し、第１筐体１０１内に固定されている。
【００３６】
また、画像読取装置１は、読取ユニット１１を内包する第２筐体１０２を有する。第２筐体１０２は、第１筐体１０１に連結されている。第１筐体１０１が下側に、第２筐体１０２が上側に配置されている。読取ユニット１１は、第２コネクタ１１ｄを有する。
【００３７】
画像処理装置１０は、読取ユニット１１と制御基板８とを電気的に接続するＦＦＣ５をさらに備える。ＦＦＣ５の両端は、それぞれ画像形成装置２の制御基板８に設けられた第１コネクタ８ｄと画像読取装置１の読取ユニット１１に設けられた第２コネクタ１１ｄとに接続されている。
【００３８】
図１に示される例において、ＦＦＣ５の両端の間の第１中間部５ｃが、留め具６によって第２筐体１０２に固定されている。
【００３９】
さらに、ＦＦＣ５における第１中間部５ｃと第１コネクタ８ｄに接続された端部との間の第２中間部５ｄは、折り返されている。これにより、ＦＦＣ５における第２中間部５ｄを基準にして制御基板８寄りの部分と読取ユニット１１寄りの部分とは、幅方向の向きが異なる。
【００４０】
図２，３に示されるように、ＦＦＣ５は、並列に並ぶ複数の導体５０と、シート状の第１絶縁被覆５１と、シート状の第２絶縁被覆５２とを備える。
【００４１】
導体５０各々は、例えば薄い帯状の柔軟な銅板である。導体５０各々は、制御基板８の第１コネクタ８ｄに接続された第１端５ａから読取ユニット１１の第２コネクタ１１ｄに接続された第２端５ｂまで延びて形成されている。
【００４２】
第１絶縁被覆５１は、複数の導体５０における長手方向の全領域の第１面を覆う。複数の導体５０の前記第１面が第１絶縁被覆５１に接着されている。例えば、複数の導体５０と第１絶縁被覆５１とは、接着剤によって接着されている。
【００４３】
第２絶縁被覆５２は、複数の導体５０における第１端５ａからの一部の第１露出部５０ａおよび第２端５ｂからの一部の第２露出部５０ｂを除く中間領域の第２面を覆う。なお、複数の導体５０の前記第２面は、複数の導体５０の前記第１面に対して反対側の面である。
【００４４】
第２絶縁被覆５２は、複数の導体５０を第１絶縁被覆５１との間に挟み込む状態で、第１絶縁被覆５１に貼り合わされている。第１絶縁被覆５１および第２絶縁被覆５２は、複数の導体５０の両側、および、複数の導体５０の間の接触領域５ｅにおいて貼り合わされている（図２参照）。
【００４５】
第１露出部５０ａは、ＦＦＣ５の一端が第１コネクタ８ｄに接続されたときに、第１コネクタ８ｄの端子に接触するケーブル側の端子部である。同様に、第２露出部５０ｂは、ＦＦＣ５の他端が第２コネクタ１１ｄに接続されたときに、第２コネクタ１１ｄの端子に接触するケーブル側の端子部である。
【００４６】
給電回路８ｃから読取ユニット１１の光源１１ａおよびイメージセンサー１１ｂに対して供給される電力は、ＦＦＣ５によって伝送される。さらに、ＣＰＵ８ａから読取ユニット１１の光源１１ａおよびイメージセンサー１１ｂに対して出力される制御信号は、ＦＦＣ５によって伝送される。また、読取ユニット１１のＡＦＥ１１ｃから出力される画像データは、ＦＦＣ５によってデータ処理回路８ｂへ伝送される。
【００４７】
ところで、通常、制御基板８は、読取ユニット１１よりもメンテナンスの対象となる頻度が高い。そのため、ＦＦＣ５の第１端５ａが第１コネクタ８ｄに対して脱着される頻度は比較的高い。
【００４８】
一方、ＦＦＣ５の端部の機械的強度はあまり高くない。そのため、コネクタ８ｄ，１１ｄに対するＦＦＣ５の脱着の回数が例えば１０回程度に達すると、損傷したＦＦＣ５を新たなＦＦＣ５へ交換することが必要となる。
【００４９】
しかしながら、ＦＦＣ５は、画像形成装置２の第１筐体１０１と画像読取装置１の第２筐体１０２とに亘って配線されている。この場合、ＦＦＣ５の交換は煩わしい作業である。
【００５０】
画像処理装置１０が備えるＦＦＣ５は、後述する特徴的な構造を有する。これにより、２つの筐体１０１，１０２に亘って配線されたＦＦＣ５の第１端５ａが、第１コネクタ８ｄに対する脱着により損傷した場合でも、容易にＦＦＣ５を復旧させることができる。
【００５１】
［ＦＦＣ５の構造］
以下、図２〜４を参照しつつ、ＦＦＣ５の構造の詳細について説明する。以下の説明において、複数の導体５０における第１露出部５０ａに隣接する予め定められた範囲の部分のことを露出候補部５０ｃと称する。
【００５２】
ＦＦＣ５において、第２絶縁被覆５２は、複数の導体５０における露出候補部５０ｃよりも第２端５ｂ側の部分を覆う基部５２ｘと、露出候補部５０ｃを覆う切除可能部５２ｙとを有する。
【００５３】
切除可能部５２ｙは、基部５２ｘと区切られている。例えば、切除可能部５２ｙは、基部５２ｘに対して切れ目またはミシン目などの直線状の区切り線５２Ｌによって区切られている。これにより、切除可能部５２ｙは、区切り線５２Ｌに沿って基部５２ｘから切り離し可能である。
【００５４】
さらに、切除可能部５２ｙは、第１絶縁被覆５１から剥がすことが可能である。当然ながら、切除可能部５２ｙは、複数の導体５０の露出候補部５０ｃからも剥がすことが可能である。
【００５５】
例えば、切除可能部５２ｙと第１絶縁被覆５１とが粘着剤によって貼り合わされていることが考えられる。この場合、切除可能部５２ｙと、第１絶縁被覆５１および複数の導体５０の露出候補部５０ｃとが、前記粘着剤によって貼り合わされていることが考えられる。
【００５６】
なお、切除可能部５２ｙを含む第２絶縁被覆５２全体と、第１絶縁被覆５１および複数の導体５０とが、前記粘着剤によって貼り合わされていることが考えられる。一方、第２絶縁被覆５２の基部５２ｘと第１絶縁被覆５１とが、接着剤によって接着されていることも考えられる。
【００５７】
図３に示されるように、ＦＦＣ５の長手方向における第１露出部５０ａの長さＬ１と、前記長手方向における露出候補部５０ｃの長さＬ２とは、同等である。なお、同等とは、両長さＬ１，Ｌ２が等しいこと、および、両長さＬ１，Ｌ２が第１コネクタ８ｄへの接続において許容される誤差の範囲内で異なることを含む。
【００５８】
ＦＦＣ５の第１端５ａが、制御基板８の第１コネクタ８ｄに対する脱着により損傷した場合、ＦＦＣ５を復旧させる手順は以下の通りである。
【００５９】
まず、第１露出部５０ａおよび第１絶縁被覆５１における第１露出部５０ａに沿う部分５１ａが、所定の切断工具などにより、他の部分から切り離される。ここで、第２絶縁被覆５２の先端が形成する線が、切り取り線である。図４において、切り離された部分が仮想線で示されている。
【００６０】
次に、第２絶縁被覆５２の切除可能部５２ｙが、基部５２ｘから区切り線５２Ｌにおいて切り離されつつ、第１絶縁被覆５１から剥ぎ取られる。これにより、複数の導体５０における露出候補部５０ｃであった部分が、新たな第１露出部５０ａとなる。これにより、ＦＦＣ５が復旧する。
【００６１】
即ち、新たな第１露出部５０ａは、切り離された元の第１露出部５０ａと寸法が同等である。従って、新たな第１露出部５０ａを含むＦＦＣ５の端部を第１コネクタ８ｄに接続することができる。
【００６２】
なお、ＦＦＣ５は、区切り線５２Ｌから第１端５ａまでの部分が切り離されても利用可能なように、予め余裕のある長さで形成されている。
【００６３】
ＦＦＣ５が採用されることにより、ＦＦＣ５の第１端５ａが損傷した場合でも、ＦＦＣ５を交換することなく、容易にＦＦＣ５を復旧させることができる。その結果、ＦＦＣ５の寿命が、切除可能部５２ｙを有さない従来のＦＦＣに比べて２倍になる。
【００６４】
なお、ＦＦＣ５において、読取ユニット１１の移動に伴う応力が、比較的頻繁にＦＦＣ５の第２端５ｂ寄りの部分に加わる。そのため、区切り線５２Ｌに相当する区切りが、第２絶縁被覆５２における第２端５ｂ寄りの部分に形成されると、その区切りの部分に隙間が生じるおそれがある。
【００６５】
従って、ＦＦＣ５において、区切り線５２Ｌに相当する区切りは、第２絶縁被覆５２における第２端５ｂ寄りの部分には形成されていない。
【００６６】
また、ＦＦＣ５の第２絶縁被覆５２において、切除可能部５２ｙが、基部５２ｘと異なる色または模様を有することも考えられる。これにより、ＦＦＣ５の配線の向きの間違いを防止することができる。
【００６７】
[第１応用例]
以上に示されたＦＦＣ５が、第１応用例に係るＦＦＣ５ｘに置き換えられることも考えられる（図５参照）。
【００６８】
図５において、図１〜４に示される構成要素と同じ構成要素は、同じ参照符号が付されている。以下、ＦＦＣ５ｘにおけるＦＦＣと異なる点について説明する。
【００６９】
本応用例において、第２絶縁被覆５２における基部５２ｘと切除可能部５２ｙとは別部材である。基部５２ｘの一端５２ｅは、複数の導体５０における露出候補部５０ｃと露出候補部５０ｃよりも第２端５ｂ側の部分との境界に沿って形成されている。
【００７０】
本応用例において、切除可能部５２ｙは、露出候補部５０ｃの前記第２面に接する直接被覆部５２ｖと、基部５２ｘの外面の一部に貼り合わされた重複部５２ｗとを有する。
【００７１】
例えば、直接被覆部５２ｖが、第２絶縁被覆５２および露出候補部５０ｃに対して粘着剤によって貼り合わされ、重複部５２ｗが、同じく前記粘着剤によって基部５２ｘの外面に貼り合わされていることが考えられる。
【００７２】
ＦＦＣ５ｘが画像処理装置１０に適用された場合も、ＦＦＣ５が画像処理装置１０に適用された場合と同様の効果が得られる。
【００７３】
さらに、ＦＦＣ５ｘが採用されることにより、第２絶縁被覆５２における基部５２ｘと切除可能部５２ｙとの間に隙間が生じにくいという効果も期待できる。
【００７４】
[第２応用例]
ＦＦＣ５，５ｘにおいて、複数の切除可能部５２ｙが、第２絶縁被覆５２における第１端５ａ寄りの端から並んで形成されていることも考えられる。これにより、ＦＦＣ５，５ｘの寿命が、複数の切除可能部５２ｙを有さない従来のＦＦＣに比べて３倍以上になる。
【符号の説明】
【００７５】
１      ：画像読取装置
２      ：画像形成装置
３      ：搬送機構
４      ：作像装置
５      ：ＦＦＣ（フラットケーブル）
５ａ    ：第１端
５ｂ    ：第２端
５ｃ    ：第１中間部
５ｄ    ：第２中間部
５ｅ    ：接触領域
６      ：留め具
８      ：制御基板
８ａ    ：ＣＰＵ
８ｂ    ：データ処理回路
８ｃ    ：給電回路
８ｄ    ：第１コネクタ
９      ：シート
１０    ：画像処理装置
１１    ：読取ユニット
１１ａ  ：光源
１１ｂ  ：イメージセンサー
１１ｄ  ：第２コネクタ
１２    ：走査機構
１３    ：原稿台
１４    ：カバー
２０    ：シート収容部
３０    ：シート搬送路
４０    ：印刷処理装置
４１    ：感光体
４２    ：帯電装置
４３    ：現像装置
４４    ：転写装置
４４ａ  ：一次転写装置
４４ｂ  ：中間転写ベルト
４４ｃ  ：二次転写装置
４４ｄ  ：ベルトクリーニング装置
４５    ：ドラムクリーニング装置
４６    ：レーザースキャニングユニット
４７    ：定着装置
５０    ：導体
５０ａ  ：第１露出部
５０ｂ  ：第２露出部
５０ｃ  ：露出候補部
５１    ：第１絶縁被覆
５２    ：第２絶縁被覆
５２Ｌ  ：区切り線
５２ｖ  ：被覆部
５２ｗ  ：重複部
５２ｘ  ：基部
５２ｙ  ：切除可能部
９０    ：原稿
１０１  ：第１筐体
１０２  ：第２筐体
【図１】
2019033376.tif 000003
【図２】
2019033376.tif 000004
【図３】
2019033376.tif 000005
【図４】
2019033376.tif 000006
【図５】
2019033376.tif 000007